(57)【要約】【課題】フェージングの影響の大小に関わらず、良好な通話音声のまま、ハンドオーバ動作を実施することが可能なデジタルコードレス電話システムを提供する。【解決手段】デジタルコードレス電話機１０は、ハンドオーバ動作を起動するハンドオーバ起動モードとして、受信電界強度レベルの測定結果に基づいてハンドオーバ動作を起動するレベル起動モードと、受信した無線信号のＦＥＲ（Frame  Error  Rate）の測定結果に基づいてハンドオーバ動作を起動するＦＥＲ起動モードと、の２つの起動モードを有し、フェージングの発生状態を簡易的に検知し、フェージングの影響が少ないと判断される環境下に存在している場合には、ハンドオーバ起動モードとしてレベル起動モードを選択し、フェージングの影響が大きいと判断される環境下に存在している場合には、ハンドオーバ起動モードとしてＦＥＲ起動モードを選択する。【選択図】        図１
2017152940.tif 000002
【特許請求の範囲】
【請求項１】
親機のデジタルコードレス基地局と子機のデジタルコードレス電話機とからなるデジタルコードレス電話システムにおいて、
前記デジタルコードレス電話機は、
無線接続中の前記デジタルコードレス基地局を切り替えるハンドオーバ動作を起動するハンドオーバ起動モードとして、当該デジタルコードレス基地局から受信した無線電波の受信電界強度レベルの測定結果に基づいてハンドオーバ動作を起動するレベル起動モードと、当該デジタルコードレス基地局から受信した無線信号のＦＥＲ（Frame  Error  Rate）の測定結果に基づいてハンドオーバ動作を起動するＦＥＲ起動モードと、の２つの起動モードを有し、
フェージングの影響が少ないと判断される環境下に存在しているか、またはフェージングの影響が大きいと判断される環境下に存在しているかというフェージングの発生状態を検知するフェージング検知手段をさらに有し、
前記検知手段により検知したフェージングの発生状態に基づき、
フェージングの影響が少ないと判断される環境下に存在している場合には、前記ハンドオーバ起動モードとして前記レベル起動モードを選択し、
フェージングの影響が大きいと判断される環境下に存在している場合には、前記ハンドオーバ起動モードとして前記ＦＥＲ起動モードを選択する
ことを特徴とするデジタルコードレス電話システム。
【請求項２】
前記検知手段は、
前記無線電波の受信電界強度を、あらかじめ定めた時間幅にある各スロットごとに測定し、測定した各前記受信電界強度の中から最大値と最小値との差分を求め、
求めた該差分が、ハンドオーバの起動モードを決定するためのフェージングの影響の大きさとしてあらかじめ定めたフェージング閾値以上に大きい場合には、フェージングの影響が大きい環境下に存在していることを検知し、
求めた該差分が、前記フェージング閾値よりも小さい場合には、フェージングの影響が少ない環境下に存在していることを検知する、
ことを特徴とする請求項１に記載のデジタルコードレス電話システム。
【請求項３】
前記ハンドオーバ起動モードとして前記レベル起動モードを選択した場合、あらかじめ定めた時間幅にある各スロットごとに測定した各前記受信電界強度の平均値が、ハンドオーバ起動を要する値としてあらかじめ定めたレベル閾値よりも低下した場合に、ハンドオーバ動作を起動することを特徴とする請求項２に記載のデジタルコードレス電話システム。
【請求項４】
前記ハンドオーバ起動モードとして前記ＦＥＲ起動モードを選択した場合、受信した無線信号のフレームエラーの発生率（ＦＥＲ：Frame  Error  Rate）が、ハンドオーバ起動を要する値としてあらかじめ定めたＦＥＲ閾値を超えた場合に、ハンドオーバ動作を起動することを特徴とする請求項２または３に記載のデジタルコードレス電話システム。
【請求項５】
親機のデジタルコードレス基地局と子機のデジタルコードレス電話機とからなるデジタルコードレス電話システムにおいて前記デジタルコードレス電話機が無線接続中の前記デジタルコードレス基地局を切り替えるハンドオーバ動作を制御するハンドオーバ制御方法であって、
前記デジタルコードレス電話機は、
前記ハンドオーバ動作を起動するハンドオーバ起動モードとして、無線接続中の前記デジタルコードレス基地局から受信した無線電波の受信電界強度レベルの測定結果に基づいてハンドオーバ動作を起動するレベル起動モードと、当該デジタルコードレス基地局から受信した無線信号のＦＥＲ（Frame  Error  Rate）の測定結果に基づいてハンドオーバ動作を起動するＦＥＲ起動モードと、の２つの起動モードを有するとともに、
フェージングの発生状態を検知する検知ステップを有し、
前記検知ステップにより検知したフェージングの発生状態として、
フェージングの影響が少ないと判断される環境下に存在している場合には、前記ハンドオーバ起動モードとして前記レベル起動モードを選択し、
フェージングの影響が大きいと判断される環境下に存在している場合には、前記ハンドオーバ起動モードとして前記ＦＥＲ起動モードを選択する
ことを特徴とするハンドオーバ制御方法。
【請求項６】
前記検知ステップは、
デジタルコードレス基地局からの無線電波の受信電界強度を、あらかじめ定めた時間幅にある各スロットごとに測定し、測定した各前記受信電界強度の中から最大値と最小値との差分を求め、
求めた該差分が、ハンドオーバの起動モードを決定するためのフェージングの影響の大きさとしてあらかじめ定めたフェージング閾値以上に大きい場合には、フェージングの影響が大きい環境下に存在していることを検知し、
求めた該差分が、前記フェージング閾値よりも小さい場合には、フェージングの影響が少ない環境下に存在していることを検知する、
ことを特徴とする請求項５に記載のハンドオーバ制御方法。
【請求項７】
前記ハンドオーバ起動モードとして前記レベル起動モードを選択した場合、あらかじめ定めた時間幅にある各スロットごとに測定した各前記受信電界強度の平均値が、ハンドオーバ起動を要する値としてあらかじめ定めたレベル閾値よりも低下した場合に、ハンドオーバ動作を起動することを特徴とする請求項６に記載のハンドオーバ制御方法。
【請求項８】
前記ハンドオーバ起動モードとして前記ＦＥＲ起動モードを選択した場合、受信した無線信号のフレームエラーの発生率（ＦＥＲ：Frame  Error  Rate）が、ハンドオーバ起動を要する値としてあらかじめ定めたＦＥＲ閾値を超えた場合に、ハンドオーバ動作を起動することを特徴とする請求項６または７に記載のハンドオーバ制御方法。
【請求項９】
請求項５ないし８のいずれかに記載のハンドオーバ制御方法を、コンピュータによって実行可能なプログラムとして実施していることを特徴とするハンドオーバ制御プログラム。
【発明の詳細な説明】
【技術分野】
【０００１】
本発明は、デジタルコードレス電話システム、ハンドオーバ制御方法およびハンドオーバ制御プログラムに関する。
【背景技術】
【０００２】
簡易形携帯電話システム（ＰＨＳ：Personal  Handy−phone  System）や事業所用携帯電話システム等のデジタルコードレス電話システムにおいて、通話中のデジタルコードレス電話機ＰＳ（Personal  Station：子機）が現在無線接続中のデジタルコードレス基地局ＣＳ（Cell  Station：親機、無線接続装置）の無線ゾーンと他のデジタルコードレス基地局ＣＳの無線ゾーンとの間を跨って移動した時、各デジタルコードレス基地局ＣＳとの間の無線信号の受信レベル等に応じて通信チャネルの切り替えを行うハンドオーバ動作が実施され、通話品質を維持するようにしている。
【０００３】
ハンドオーバ動作の起動条件としては、特許文献１の特許第３１６５３４７号公報「ハンドオーバ制御方法」や特許文献２の特開２０００−５０３３７号公報「ハンドオーバ制御方法」、特許文献３の特開平１１−２１５５４５号公報「チャネル切り替え判定方式」等に記載されているように、受信電界強度レベルの如何によって起動するレベル起動モードと、受信した無線信号のＦＥＲ（Frame  Error  Rate：１フレーム（２４０スロット）当たりのエラースロットの割合）の如何によって起動するＦＥＲ起動モードと、がある。
【０００４】
受信電界強度が或る程度高いレベルでハンドオーバを起動させると、ハンドオーバ時の音声劣化区間（無音区間）を低く抑えることが可能であり、よりシームレスなハンドオーバ動作が可能である。しかし、マルチパスフェージングの影響の大きい環境下においては、受信電界強度のレベル変動が激しく、レベル起動モードのハンドオーバ動作を適用している場合には、ハンドオーバ動作が頻発し、場合によっては、通話音声の音途切れを体感することもある。
【０００５】
図５は、従来の事業所用デジタルコードレス電話システムのシステム構成の一例を示すシステム構成図であり、建物の天井や側面の壁からの無線電波の反射・回析によるフェージングによる影響も合わせて表現している。図５のシステム構成図に示す従来の事業所用デジタルコードレス電話システムは、移動電話端末であるデジタルコードレス電話機（ＰＳ：子機）１０Ａ、コードレス通信の親機として配置されている第１のデジタルコードレス基地局（ＣＳ１）２１および第２のデジタルコードレス基地局（ＣＳ２）２２、並びに、外線（代表）および内線との交換接続を行う交換機であるデジタルコードレス主装置（ＭＥ：Ｍａｉｎ  Ｅｑｕｉｐｍｅｎｔ）３０を含んで構成されている。
【０００６】
図５に示すように、デジタルコードレス電話機１０Ａは、現在、第１のデジタルコードレス基地局２１の無線ゾーン２１Ａ、および、第２のデジタルコードレス基地局２２の無線ゾーン２２Ａの双方の領域内に存在していて、第１のデジタルコードレス基地局２１を介して音声通話中の状態にある。第１のデジタルコードレス基地局２１からデジタルコードレス電話機１０Ａに到来する無線電波にはは、太い直線矢印で示すように、直接到来する直進の無線電波１００だけではなく、太い破線矢印で示すように、建物の天井や側面の壁等から反射・回析してくる無線電波１０１，１０２もある。すなわち、デジタルコードレス電話機１０Ａは、いわゆるマルチパスフェージングの環境下にある。
【０００７】
デジタルコードレス電話機１０Ａは、現在無線接続中の第１のデジタルコードレス基地局２１からの無線電波の電界強度を測定し、ハンドオーバ起動レベルとしてあらかじめ定めたレベル閾値を下回ると、ハンドオーバを起動し、第１のデジタルコードレス基地局２１から第２のデジタルコードレス基地局２２に無線接続を切り替える。フェージングの影響が少なくて、無線電波の電界強度が安定している状態であれば、通話音声の音途切れが生じることなく、ハンドオーバにより切り替えた第２のデジタルコードレス基地局２２を介して、音声通話を継続することができる。
【０００８】
しかし、フェージングの影響が大きい場合は、フェージングの影響により、第２のデジタルコードレス基地局２２からの無線電波の電界強度が変動してしまい、あらかじめ定めたレベル閾値を下回ることが生じ、再び、ハンドオーバを起動して、第２のデジタルコードレス基地局２２から第１のデジタルコードレス基地局２１に無線接続を切り替えることになる。かくのごとく、フェージングの影響が大きい場合は、レベル起動モードによるハンドオーバ起動の場合は、第１のデジタルコードレス基地局２１と第２のデジタルコードレス基地局２２との間のハンドオーバが頻繁に繰り返されることになり、通話音声の音途切れが発生してしまう。
【０００９】
レベル起動モードの場合のこのようなハンドオーバ動作の頻発を軽減する施策として、ＦＥＲの劣化を起動条件とするＦＥＲ起動モードがある。しかし、ＦＥＲ起動モードのハンドオーバ動作の場合は、フェージングの影響の少ない環境下においてハンドオーバ動作を実施していても、ＦＥＲ劣化を検知してからハンドオーバを起動することから、ノイズが発生することがある。
【００１０】
デジタルコードレス基地局ＣＳの設置数を増やして、デジタルコードレス電話機ＰＳが存在する領域の電界強度を安定させて、前述のような問題を回避することも可能であるが、コスト面、工事面から、デジタルコードレス基地局ＣＳの設置数を増やすことは実用性に欠けるケースが多い。
【先行技術文献】
【特許文献】
【００１１】
【特許文献１】特許第３１６５３４７号公報
【特許文献２】特開２０００−５０３３７号公報
【特許文献３】特開平１１−２１５５４５号公報
【発明の概要】
【発明が解決しようとする課題】
【００１２】
前述したように、デジタルコードレス電話システムにおいて、受信電界強度レベルの低下を起動条件とするレベル起動モードのハンドオーバ動作を適用している場合、マルチパスフェージングの影響が大きい環境下で音声通話をしていると、電界強度の変動によりハンドオーバ動作が頻繁に起動して、通話音声の音途切れが発生したりする。一方、ハンドオーバ動作の起動回数を低減するために、ハンドオーバの起動条件を、レベル起動モードではなく、ＦＥＲ（Frame  Error  Rate）の増加を起動条件とするＦＥＲ起動モードにすると、フェージングによるレベル変動（電界強度変動）の影響は緩和することができるが、ＦＥＲの劣化を検知してからハンドオーバを起動することになるため、ハンドオーバ起動時には必ずＦＥＲの劣化が発生していて、ノイズが発生したりして、ハンドオーバ動作時の通話音声品質の劣化が生じる。このため、マルチパスフェージングの影響の大小に関わらず、良好な通話音声のまま、ハンドオーバ動作を実施することが可能な技術の実現が強く望まれている。
【００１３】
（本発明の目的）
本発明は、以上のような事情に鑑みてなされたものであり、フェージングの影響の大小に関わらず、良好な通話音声のまま、ハンドオーバ動作を実施することが可能なデジタルコードレス電話システム、ハンドオーバ制御方法およびハンドオーバ制御プログラムを提供することを、その目的としている。
【課題を解決するための手段】
【００１４】
前述の課題を解決するため、本発明によるデジタルコードレス電話システム、ハンドオーバ制御方法およびハンドオーバ制御プログラムは、主に、次のような特徴的な構成を採用している。
【００１５】
（１）本発明によるデジタルコードレス電話システムは、
親機のデジタルコードレス基地局と子機のデジタルコードレス電話機とからなるデジタルコードレス電話システムであって、
前記デジタルコードレス電話機は、
無線接続中の前記デジタルコードレス基地局を切り替えるハンドオーバ動作を起動するハンドオーバ起動モードとして、当該デジタルコードレス基地局から受信した無線電波の受信電界強度レベルの測定結果に基づいてハンドオーバ動作を起動するレベル起動モードと、当該デジタルコードレス基地局から受信した無線信号のＦＥＲ（Frame  Error  Rate）の測定結果に基づいてハンドオーバ動作を起動するＦＥＲ起動モードと、の２つの起動モードを有し、
フェージングの影響が少ないと判断される環境下に存在しているか、またはフェージングの影響が大きいと判断される環境下に存在しているかというフェージングの発生状態を検知するフェージング検知手段をさらに有し、
前記検知手段により検知したフェージングの発生状態に基づき、
フェージングの影響が少ないと判断される環境下に存在している場合には、前記ハンドオーバ起動モードとして前記レベル起動モードを選択し、
フェージングの影響が大きいと判断される環境下に存在している場合には、前記ハンドオーバ起動モードとして前記ＦＥＲ起動モードを選択する
ことを特徴とする。
【００１６】
（２）本発明によるハンドオーバ制御方法は、
親機のデジタルコードレス基地局と子機のデジタルコードレス電話機とからなるデジタルコードレス電話システムにおいて前記デジタルコードレス電話機が無線接続中の前記デジタルコードレス基地局を切り替えるハンドオーバ動作を制御するハンドオーバ制御方法であって、
前記デジタルコードレス電話機は、
前記ハンドオーバ動作を起動するハンドオーバ起動モードとして、無線接続中の前記デジタルコードレス基地局から受信した無線電波の受信電界強度レベルの測定結果に基づいてハンドオーバ動作を起動するレベル起動モードと、当該デジタルコードレス基地局から受信した無線信号のＦＥＲ（Frame  Error  Rate）の測定結果に基づいてハンドオーバ動作を起動するＦＥＲ起動モードと、の２つの起動モードを有するとともに、
フェージングの発生状態を検知する検知ステップを有し、
前記検知ステップにより検知したフェージングの発生状態として、
フェージングの影響が少ないと判断される環境下に存在している場合には、前記ハンドオーバ起動モードとして前記レベル起動モードを選択し、
フェージングの影響が大きいと判断される環境下に存在している場合には、前記ハンドオーバ起動モードとして前記ＦＥＲ起動モードを選択する
ことを特徴とする。
【００１７】
（３）本発明によるハンドオーバ制御プログラムは、前記（２）に記載のハンドオーバ制御方法を、コンピュータによって実行可能なプログラムとして実施していることを特徴とする。
【発明の効果】
【００１８】
本発明のデジタルコードレス電話システム、ハンドオーバ制御方法およびハンドオーバ制御プログラムによれば、子機側のデジタルコードレス電話機のハンドオーバ起動モードとしてレベル起動モードとＦＥＲ起動モードとの長所を活用した仕組みを採用しているので、フェージングの影響の大小に関わらず、良好な通話音声のまま、ハンドオーバ動作を実施することが可能である。
【図面の簡単な説明】
【００１９】
【図１】本発明に係る実施形態における事業所用デジタルコードレス電話システムのシステム構成の一例を示すシステム構成図である。
【図２】図１に示したデジタルコードレス電話システムを構成するデジタルコードレス電話機（ＰＳ：子機）の動作の流れを説明するためのフローチャートである。
【図３】図１に示したデジタルコードレス電話システムのフェージングの影響が大きい環境下における動作について概念的に説明する説明図である。
【図４】図１に示したデジタルコードレス電話システムのフェージングの影響が小さい通常の環境下における動作について概念的に説明する説明図である。
【図５】従来の事業所用デジタルコードレス電話システムのシステム構成の一例を示すシステム構成図である。
【発明を実施するための形態】
【００２０】
以下、本発明によるデジタルコードレス電話システム、ハンドオーバ制御方法およびハンドオーバ制御プログラムの好適な実施形態について添付図を参照して説明する。なお、以下の説明においては、本発明によるデジタルコードレス電話システムおよびハンドオーバ制御方法について説明するが、かかるハンドオーバ制御方法をコンピュータにより実行可能なハンドオーバ制御プログラムとして実施するようにしても良いし、あるいは、ハンドオーバ制御プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００２１】
（本発明の特徴）
本発明の実施形態の説明に先立って、本発明の特徴についてその概要をまず説明する。本発明は、デジタルコードレス電話システムのデジタルコードレス電話機ＰＳ（子機）が、フェージング発生状態を検知し、フェージングの影響が少ない環境下においてはレベル起動モードのハンドオーバ動作を自動的に選択し、フェージングの影響が大きい環境下においてはＦＥＲ起動モードのハンドオーバ動作を自動的に選択する機能を有することを主要な特徴としている。かくのごとく、本発明においては、レベル起動モードとＦＥＲ起動モードとの２つのハンドオーバ起動モードの長所を合わせ持つ仕組みを備えることによって、マルチパスフェージングの影響の大小に関わらず、良好な通話音声のまま、ハンドオーバ動作を実施することが可能になり、従来技術の課題を解決して、マルチパスフェージングの影響が大きい環境下であっても音声品質の劣化を改善することができ、デジタルコードレス電話システムとしての性能向上に大きく寄与することができる。
【００２２】
このように、本発明では、デジタルコードレス電話機ＰＳ（子機）がフェージングの影響が少ない環境にあるか否かにより、ハンドオーバ動作の起動を、受信電界強度レベルに基づくレベル起動モードで行うか、あるいは、受信した無線信号のＦＥＲ（Frame  Error  Rate）に基づくＦＥＲ起動モードで行うかの選択をするための条件、すなわちハンドオーバの起動条件を決めている。ハンドオーバの起動条件については、以下に実施の形態を挙げて詳しく説明するが、ここで本発明の特徴の理解を容易にするために、一つの具体的な例を挙げ、この例についてまず説明する。デジタルコードレス電話機ＰＳ（子機）が、受信電界強度レベルの測定（例えば、１．２秒間に２４０スロット分の受信電界強度レベルの測定）を行い、受信電界強度レベルの測定結果の最大値（ＭＡＸ）と最小値（ＭＩＮ）との関係により、以下のような起動条件により、ハンドオーバ動作を起動する。ここで、フェージングの影響の大小を判定するためのフェージング閾値の具体例として、受信電界強度レベルの変動幅が２０ｄＢｕＶ以上か否かという閾値（フェージング閾値）を用いる場合について説明する。
【００２３】
１）｜ＭＡＸ−ＭＩＮ｜≧２０ｄＢｕＶの場合、すなわち、フェージングの影響が大きい場合、
フレームエラー発生率ＦＥＲが増加してあらかじめ定めたＦＥＲ閾値（例えば、ＦＥＲ閾値５％）を超えた場合に、ハンドオーバ動作を起動する。
２）｜ＭＡＸ−ＭＩＮ｜＜２０ｄＢｕＶの場合、すなわち、フェージングの影響が少ない場合、
受信電界強度レベルが低下してあらかじめ定めたレベル閾値（例えば、レベル閾値３２ｄＢｕＶ）よりも低下した場合に、ハンドオーバ動作を起動する。
【００２４】
（本発明の実施形態）
次に、本発明の実施形態について、デジタルコードレス電話システムの一例として事業所用デジタルコードレス電話システムを用いた場合について詳細に説明する。
【００２５】
（実施形態の概要）
本発明によるデジタルコードレス電話システムの一例である事業所用デジタルコードレス電話システムの構成例を、図１のシステム構成図を参照しながら説明する。
【００２６】
図１は、本発明に係る実施形態における事業所用デジタルコードレス電話システムのシステム構成の一例を示すシステム構成図であり、建物の天井や側面の壁からの無線電波の反射・回析によるフェージングによる影響も合わせて表現している。図１のシステム構成図に示す事業所用デジタルコードレス電話システムは、図５に説明した従来の事業所用デジタルコードレス電話システムの場合と同様に、移動電話端末であるデジタルコードレス電話機（ＰＳ：子機）１０、コードレス通信の親機として２組配置されている第１のデジタルコードレス基地局（ＣＳ１）２１、第２のデジタルコードレス基地局（ＣＳ２）２２、および、外線（代表）および内線との交換接続を行う交換機であるデジタルコードレス主装置（ＭＥ：Ｍａｉｎ  Ｅｑｕｉｐｍｅｎｔ）３０を含んで構成されている。
【００２７】
図１に示すように、デジタルコードレス電話機１０は、現在、第１のデジタルコードレス基地局２１の無線ゾーン２１Ａ、および、第２のデジタルコードレス基地局２２の無線ゾーン２２Ａの双方の領域内に存在していて、第１のデジタルコードレス基地局２１を介して音声通話中の状態にある。第１のデジタルコードレス基地局２１からデジタルコードレス電話機１０に到来する無線電波は、太い直線矢印で示すように、直接到来する直進の無線電波１００だけではなく、太い破線矢印で示すように、建物の天井や側面の壁等から反射・回析してくる無線電波１０１，１０２もあり、デジタルコードレス電話機１０はいわゆるマルチパスフェージングの環境下にある。
【００２８】
デジタルコードレス電話機１０は、図５において説明した従来技術の場合と同様、現在無線接続中の第１のデジタルコードレス基地局２１からの無線電波の電界強度を測定し、ハンドオーバ起動レベルとしてあらかじめ定めたレベル閾値を下回ると、ハンドオーバを起動し、第１のデジタルコードレス基地局２１から第２のデジタルコードレス基地局２２に無線接続を切り替える。フェージングの影響が少なくて、無線電波の電界強度が安定している状態であれば、通話音声の音途切れが生じることなく、ハンドオーバにより切り替えた第２のデジタルコードレス基地局２２を介して、音声通話を継続することができる。
【００２９】
一方、フェージングの影響が大きい場合は、デジタルコードレス電話機１０は、図５において説明した従来技術の場合とは異なる起動条件でハンドオーバを起動する。すなわち、フェージングの影響が大きい場合は、デジタルコードレス電話機１０は、ハンドオーバの起動モードを、親機のデジタルコードレス基地局２１からの無線電波の受信電界強度レベルの如何によって起動するレベル起動モードから、受信した無線信号のＦＥＲ（Frame  Error  Rate：１フレーム（２４０スロット）当たりのエラースロットの割合）の如何によって起動するＦＥＲ起動モードにあらかじめ切り替えている。したがって、フェージングの影響により、第２のデジタルコードレス基地局２２からの無線電波の電界強度が変動しても、計測したＦＥＲが、ハンドオーバ起動ＦＥＲの値としてあらかじめ定めたＦＥＲ閾値を超えない限り、第２のデジタルコードレス基地局２２から第１のデジタルコードレス基地局２１に無線接続を切り替えるハンドオーバは発生しない。
【００３０】
つまり、フェージングの影響が大きい環境下においては、受信電界強度レベルが低下した場合であっても、また、たとえフレームエラーが発生しても、フレームエラーの発生率（ＦＥＲ）があらかじめ定めたＦＥＲ閾値を超えない限り、ハンドオーバは、第１のデジタルコードレス基地局２１から第２のデジタルコードレス基地局２２への１回のみであり、ハンドオーバに伴う通話音声の音途切れが生じることなく、ハンドオーバにより切り替えた第２のデジタルコードレス基地局２２を介して、音声通話を安定的に継続することができる。
【００３１】
（実施形態の動作の説明）
次に、図１に示したデジタルコードレス電話システムの動作について、その一例を、具体的な数値例を示しながら詳細に説明する。
【００３２】
まず、図２のフローチャートを参照しながら、本実施形態のデジタルコードレス電話システムの動作について説明する。図２は、図１に示したデジタルコードレス電話システムを構成するデジタルコードレス電話機（ＰＳ：子機）１０の動作の流れを説明するためのフローチャートである。
【００３３】
図２のフローチャートにおいて、デジタルコードレス電話機１０が、図１に例示したように、例えば、第１のデジタルコードレス基地局２１を介して、音声通話を開始すると（ステップＳ１）、第１のデジタルコードレス基地局２１からの無線電波の受信電界強度値を測定するために、例えば、１．２秒間に２４０スロット分の受信電界強度レベルすなわちＲＳＳＩ（Received  Signal  Strength  Indicator：受信信号強度）を測定する。そして、測定した２４０スロット分の各ＲＳＳＩから、ＲＳＳＩの平均値（ＡＶＥ）、最大値（ＭＡＸ）および最小値（ＭＩＮ）をそれぞれ求めて、その結果を保存する。そして、レベル起動モードにおけるハンドオーバ起動の有無を判定するために用いる受信電界強度レベルの測定値すなわちＲＳＳＩ値として、求めたＲＳＳＩの平均値（ＡＶＥ）を設定する（ステップＳ２）。
【００３４】
しかる後、フェージングの影響の大きさを簡易的に判定するために、求めたＲＳＳＩの最大値（ＭＡＸ）と最小値（ＭＩＮ）との差分を用い、該差分（｜ＭＡＸ−ＭＩＮ｜）を、ハンドオーバの起動モードを決定するためのフェージングの影響の大きさとしてあらかじめ定めたフェージング閾値（例えば、２０ｄＢｕＶ）と比較する（ステップＳ３）。
【００３５】
ＲＳＳＩの最大値（ＭＡＸ）と最小値（ＭＩＮ）との差分（｜ＭＡＸ−ＭＩＮ｜）が、フェージング閾値（例えば、２０ｄＢｕＶ）以上であった場合には（ステップＳ３のＹＥＳ）、フェージングの影響が大きいものと判断して、ハンドオーバ起動モードをＦＥＲ起動モードに設定する。そして、受信信号のＦＥＲの測定結果として、フレームエラー発生率（ＦＥＲ）が増加して、ハンドオーバ起動を要する値としてあらかじめ定めたＦＥＲ閾値（例えば、ＦＥＲ５％）を超えた場合に、ハンドオーバ動作を起動する（ステップＳ４）。このハンドオーバ動作が起動されると、例えば、現在無線接続中の基地局が第１のデジタルコードレス基地局２１であった場合には、第１のデジタルコードレス基地局２１から第２のデジタルコードレス基地局２２に無線接続を切り替える。
【００３６】
一方、ＲＳＳＩの最大値（ＭＡＸ）と最小値（ＭＩＮ）との差分（｜ＭＡＸ−ＭＩＮ｜）が、フェージング閾値（例えば、２０ｄＢｕＶ）よりも小さかった場合には（ステップＳ３のＮＯ）、フェージングの影響が少ないものと判断して、ハンドオーバ起動モードをレベル起動モードに設定する。そして、受信電界強度の測定結果として、受信電界強度レベルすなわちＲＳＳＩが低下して、１．２秒間の２４０スロット分の各ＲＳＳＩの平均値（ＡＶＥ）を示すＲＳＳＩ値が、ハンドオーバ起動を要する値としてあらかじめ定めたレベル閾値（例えば、３２ｄＢｕＶ）よりも低下した場合に、ハンドオーバ動作を起動する（ステップＳ５）。このハンドオーバ動作が起動されると、例えば、現在無線接続中の基地局が第１のデジタルコードレス基地局２１であった場合には、第１のデジタルコードレス基地局２１から第２のデジタルコードレス基地局２２に無線接続を切り替える。
【００３７】
しかる後、デジタルコードレス電話機１０は、通話が終了したか否かを監視し（ステップＳ６）、通話が終了していない場合は（ステップＳ６のＮＯ）、ステップＳ２に復帰して、受信電界強度レベルすなわちＲＳＳＩの測定動作以降の動作を繰り返す。一方、通話が終了した場合は（ステップＳ６のＹＥＳ）、通話終了処理を実施して、空き状態に復帰する（ステップＳ７）。
【００３８】
以上のように、本実施形態によれば、例えば、１.２秒の間に２４０スロット分測定した受信電界強度レベルすなわちＲＳＳＩの中から、最大値（ＭＡＸ）と最小値（ＭＩＮ）と平均値（ＡＶＥ）とを求めて保存し、最大値（ＭＡＸ）と最小値（ＭＩＮ）との差分とあらかじめ定めたフェージング閾値（例えば、２０ｄＢｕＶ）とを用いて、次の条件式により、ハンドオーバの起動モードを、ＦＥＲ起動モードとするか、レベル起動モードにするかを決定することができる。
【００３９】
１）｜ＭＡＸ−ＭＩＮ｜≧フェージング閾値（例えば２０ｄＢｕＶ）の場合、
ハンドオーバ起動モードをＦＥＲ起動モードに設定する。
２）｜ＭＡＸ−ＭＩＮ｜＜フェージング閾値（例えば２０ｄＢｕＶ）の場合
ハンドオーバ起動モードをレベル起動モードに設定する。
【００４０】
そして、ＦＥＲ起動モード、レベル起動モードのそれぞれにおいて、ハンドオーバを起動するか否かは、計測したＦＥＲ測定値またはＲＳＳＩ平均値（ＡＶＥ）すなわちＲＳＳＩ値のそれぞれとあらかじめ定めた閾値であるＦＥＲ閾値またはレベル閾値のそれぞれとを用いて、次の条件式により、決定することができる。
１）ＦＥＲ起動モードの場合
ＦＥＲ測定値＞ＦＥＲ閾値（例えば５％）の関係が成立する場合、ハンドオーバを起動する。
２）レベル起動モードの場合
ＲＳＳＩ平均値（ＡＶＥ）＜レベル閾値（例えば３２ｄＢｕＶ）の関係が成立する場合、ハンドオーバを起動する。
【００４１】
以上の動作によって、レベル起動モードにおけるハンドオーバ時の音声品質の性能を維持しながら、フェージングの影響が大きい環境下であっても、ＦＥＲ起動モードに切り替えることにより、安定した音声通話を継続することができ、通話品質の向上を期待することができる。
【００４２】
次に、図３、図４に示す説明図を参照しながら、図１に示した本実施形態に係るデジタルコードレス電話システムの動作についてさらに説明する。図３は、図１に示したデジタルコードレス電話システムのフェージングの影響が大きい環境下における動作について概念的に説明する説明図である。また図４は、図１に示したデジタルコードレス電話システムのフェージングの影響が小さい通常の環境下における動作について概念的に説明する説明図である。
【００４３】
図３、図４のいずれの場合においても、移動可能な子機のデジタルコードレス電話機１０は、現在、２つの親機の第１のデジタルコードレス基地局２１の無線ゾーン２１Ａ、および、第２のデジタルコードレス基地局２２の無線ゾーン２２Ａの双方の領域内に存在して、いずれかの親機を介して通話を行っている状態を例示している。
【００４４】
ここで、図３、図４の双方の図の左上側および右下側には、フェージングの影響がない場合における受信電界強度、フレームエラー発生率（ＦＥＲ）の例を説明している。すなわち、親機である第１のデジタルコードレス基地局２１および第２のデジタルコードレス基地局２２それぞれからの無線電波の受信電界強度は、親機の近傍の領域であれば５０ｄＢｕＶと強い電波を受信することができ、ＦＥＲも０％であるが、距離が離れていくにしたがって、４０ｄＢｕＶ、３０ｄＢｕＶ、…と低下していき、それぞれの無線ゾーン２１Ａ、２２Ａの境界の近傍に近づくと、１５ｄＢｕＶ程度まで低下し、ＦＥＲも５％に上昇し、さらに、それぞれの圏外と接する無線ゾーン２１Ａ、２２Ａの境界に至ると、１０ｄＢｕＶに低下し、ＦＥＲも８０％に達してしまい、無線通信がほぼできなくなる状況になることを示している。
【００４５】
しかし、図３に示すようなフェージングの影響が大きい環境下にある場合には、通常、受信電界強度が±１０ｄＢｕＶ以上に亘って変動するので、例えば、フェージングの影響がない場合には４０ｄＢｕＶ程度の強い受信電波強度が得られる距離にデジタルコードレス電話機１０が存在している場合であっても、フェージングの影響により、受信電界強度が３０〜５０ｄＢｕＶと大幅に変動してしまう、
【００４６】
この結果、デジタルコードレス電話機１０のハンドオーバ起動モードを、図３（Ａ）に示すように、レベル起動モードに固定して設定していた場合には、１．２秒間の２４０スロット分の各ＲＳＳＩの平均値（ＡＶＥ）を示すＲＳＳＩ値も、ハンドオーバ起動を要する値としてあらかじめ定めたレベル閾値（例えば、３２ｄＢｕＶ）よりも低下する場合が発生し、ハンドオーバが起動されて、例えば、現在無線接続中の第１のデジタルコードレス基地局２１から第２のデジタルコードレス基地局２２への接続替えが実行される。
【００４７】
しかし、フェージングの影響が大きい環境下にあるので、ハンドオーバ先の第２のデジタルコードレス基地局２２との無線接続状態になっても、フェージングの影響により、受信電界強度が大きく変動し、同様に、レベル閾値（例えば、３２ｄＢｕＶ）よりも低下する場合が発生して、第１のデジタルコードレス基地局２１へのハンドオーバが起動されてしまう。
【００４８】
つまり、フェージングの影響が大きい環境下にある場合は、デジタルコードレス電話機１０のハンドオーバ起動モードをレベル起動モードに固定している限り、図３（Ａ）に示すように、ハンドオーバが頻繁に繰り返されてしまい、通話音声の品質としては、音途切れが頻繁に発生し、最悪の場合は、通話切断状態に陥る。
【００４９】
これに対して、本実施形態では、先に説明したように、デジタルコードレス電話機１０は、レベル起動モードとＦＥＲ起動モードとを併用する機能を備えるので、フェージングの影響が大きく、受信電界強度の最大値（ＭＡＸ）と最小値（ＭＩＮ）との差分があらかじめ定めたフェージング閾値（例えば、２０ｄＢｕＶ）以上に達すると、図３（Ｂ）に示すように、デジタルコードレス電話機１０の起動モードが、レベル起動モードからＦＥＲ起動モードに切り替えられる。
【００５０】
この結果、フェージングの影響により受信電界強度レベルが大きく変動していても、ＦＥＲの測定値があらかじめ定めたＦＥＲ閾値（例えば５％）以下に収まっている限り、ハンドオーバが起動されることはなくなる。したがって、フェージングの影響が大きい環境下であっても、良好な音声品質を維持することが可能であり、明瞭な通話を行うことができる。
【００５１】
しかし、ハンドオーバ起動モードをＦＥＲ起動モードに設定している場合、たとえフレームエラーが発生しても、フレームエラーの発生率（ＦＥＲ）が増加して、あらかじめ定めたＦＥＲ閾値（例えば５％）を超えた割合に達してから、初めて、ハンドオーバが起動されるので、通話音声の音途切れが生じる状況が、レベル起動モードにおけるハンドオーバの場合に比して多くなり、レベル起動モードの場合よりも、音声品質が劣化してしまう恐れがある。
【００５２】
かくのごときＦＥＲ起動モードの弊害に鑑みて、本実施形態においては、あらかじめ定めた時間幅にある各スロットごとに、例えば１.２秒（２４０スロット分）の間に、測定した受信電界強度レベルすなわちＲＳＳＩの中から求めた最大値（ＭＡＸ）と最小値（ＭＩＮ）との差分とあらかじめ定めたフェージング閾値（例えば２０ｄＢｕＶ）とを用いてフェージングの影響の大きさを簡易的に判定する仕組みを採用している。したがって、前の時間幅（スロット）で図４（Ｂ）に示すように、ハンドオーバ起動モードがＦＥＲ起動モードにあっても、あらかじめ定めた時間幅ごとの簡易的な判定結果として、次の時間幅における受信電界強度レベル測定に基づく判定により、受信電界強度のレベル変動（つまり、最大値（ＭＡＸ）と最小値（ＭＩＮ）との差分）がフェージング閾値（例えば２０ｄＢｕＶ）を下回る安定した電界強度の環境にあると判定されると、デジタルコードレス電話機１０のハンドオーバ起動モードは、図４（Ａ）に示すように、レベル起動モードに自動的に設定され、そのレベル起動モードが維持される。
【００５３】
この結果、フェージングの影響が低下し、受信電界強度レベルの変動が少なくなった状態においては、あらかじめ定めた時間幅にある各スロットごとに測定した受信電界強度の平均値（ＡＶＥ）が、あらかじめ定めたレベル閾値（例えば３２ｄＢｕＶ）よりも低下しない限り、ハンドオーバが起動されることはなくなる。したがって、フェージングの影響が少なくなった環境下においては、デジタルコードレス電話機１０は、図４（Ａ）に示すように、良好な音声品質を確保することが可能であり、明瞭な通話を行うことができる。
【００５４】
（本実施形態の効果の説明）
以上に詳細に説明したように、本実施形態のデジタルコードレス電話システムにおいては、子機側のデジタルコードレス電話機１０のハンドオーバ起動モードとしてレベル起動モードとＦＥＲ起動モードとの長所を活用した仕組みを採用しているので、フェージングの影響の大小に関わらず、良好な通話音声のままハンドオーバ動作を実施することができ、さらに、次のような効果が得られる。
【００５５】
第１に、ハンドオーバ起動モードをレベル起動モードとした場合の音声品質の性能を維持しながら、フェージングの影響が大きい環境下であっても、安定した通話品質の向上を期待することができる。
【００５６】
第２に、親機のデジタルコードレス基地局２１，２２，…を増設することなく、すなわちハードウエアの増設を要せずして、フェージングの影響を緩和することができるので、安定した通話品質のデジタルコードレス電話システムを経済的に構築することができる。
【００５７】
第３に、親機のデジタルコードレス基地局２１，２２は既存のまま使用することができ、子機のデジタルコードレス電話機１０についても既存のハードウェアを変更する必要はなく、ソフトウェアの変更のみで対応することも可能になるので、スムーズかつ迅速な導入を図ることができる。
【００５８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５９】
１０      デジタルコードレス電話機ＰＳ（子機）
１０Ａ    デジタルコードレス電話機ＰＳ（子機）
２１      第１のデジタルコードレス基地局（ＣＳ１）
２１Ａ    第１のデジタルコードレス基地局の無線ゾーン
２２      第２のデジタルコードレス基地局（ＣＳ２）
２２Ａ    第２のデジタルコードレス基地局の無線ゾーン
３０      デジタルコードレス主装置（ＭＥ）
１００    無線電波（直進）
１０１    無線電波（反射・回析）
１０２    無線電波（反射・回析）
【図１】
2017152940.tif 000003
【図２】
2017152940.tif 000004
【図３】
2017152940.tif 000005
【図４】
2017152940.tif 000006
【図５】
2017152940.tif 000007